(57)【特許請求の範囲】
【請求項１】
円環状のヨークから延出するティースに装着される絶縁ボビンには、前記ティースと前記平角線を絶縁するティース絶縁部と、該ティース絶縁部の内周側端部および外周側端部から前記ヨークの内面に沿ってそれぞれ延出する内周側延出部および外周側延出部とを備え、該内周側延出部のステータ軸方向における一方に、平角線を内周側延出部の外方からティース絶縁部の周方向に対して斜めに案内するガイド溝が設けられ、前記ティース絶縁部に平角線を集中的に整列して巻回するステータにおいて、
前記ティース絶縁部は、
角形筒状をなし、前記ティース絶縁部に前記平角線が複数層に渡って巻回され、
前記内周側延出部と前記ティース絶縁部との連結部分の隅部に設けられ、前記平角線の第１層第１周目の最終部分を前記周方向に対して平行に保持する内周側突出部と、
前記外周側延出部と前記ティース絶縁部との連結部分の隅部に設けられ、前記第１層の最終列終端が配置される側面の前記周方向の全体と、前記平角線の第２層の第１列始端が配置される側面の前記周方向の一部と、に跨るように形成された外周側突出部と、
を備えており、
前記第１層第１周目の前記平角線の高さ以上となるように、前記内周側突出部の高さが設定され、
前記第１層の最終列に巻回された前記平角線を、前記外周側突出部に沿って巻回させ、
各層には、平角線が列を替えるよう斜め掛けされる列替え面と、平角線が列替えなく並列に掛けられる並列面とが形成され、
各層の列替え面の上層または下層には、前記並列面が形成され、
前記各層の列替え面は、前記ティース絶縁部における長手方向両側面に、交互に形成されていることを特徴とするステータ。
【請求項２】
円環状のヨークから延出するティースに装着される絶縁ボビンには、前記ティースと前記平角線を絶縁するティース絶縁部と、該ティース絶縁部の内周側端部および外周側端部から前記ヨークの内面に沿ってそれぞれ延出する内周側延出部および外周側延出部とを備え、該内周側延出部のステータ軸方向における一方に、平角線を内周側延出部の外方からティース絶縁部の周方向に対して斜めに案内するガイド溝が設けられ、前記ティース絶縁部に平角線を集中的に整列して巻回するステータにおいて、
前記ティース絶縁部は、
角形筒状をなし、前記ティース絶縁部に前記平角線が複数層に渡って巻回され、
前記内周側延出部と前記ティース絶縁部との連結部分の隅部に設けられ、前記平角線の第１層第１周目の最終部分を前記周方向に対して平行に保持する内周側突出部と、
前記外周側延出部と前記ティース絶縁部との連結部分の隅部に設けられ、前記第１層の最終列終端が配置される側面の前記周方向の全体と、前記平角線の第２層の第１列始端が配置される側面の前記周方向の一部と、に跨るように形成された外周側突出部と、
を備えており、
前記第１層第１周目の前記平角線の高さ以上となるように、前記内周側突出部の高さが設定され、
前記第１層の最終列に巻回された前記平角線を、前記外周側突出部に沿って巻回させ、
各層には、平角線が列を替えるよう斜め掛けされる列替え面と、平角線が列替えなく並列に掛けられる並列面とが形成され、
各層の列替え面の上層または下層には、前記並列面が形成され、
前記各層の列替え面は、前記ティース絶縁部における各側面に渡って順次形成されていることを特徴とするステータ。
【請求項３】
前記第１層の前記列替え面の上層および前記第２層の前記列替え面の下層には、前記並列面が形成されていることを特徴とする請求項１または２に記載のステータ。
【発明の詳細な説明】
【技術分野】
【０００１】
本発明は、電動機や発電機等の回転電機に用いられるステータに関するものである。
【背景技術】
【０００２】
ステータの巻線には、断面円形のいわゆる丸線からなる巻線と、断面が略長方形のいわゆる平角線からなる巻線がある。
丸線は密接して巻回しても丸線間に隙間が生じるので占積率が低いのに対して、平角線は、隙間なく整列させることで占積率を高めることができ有利である。ここで、占積率とは、スロット断面積に対するコイル線占有面積の比であり、占積率の増大により回転電機の性能向上を図ることができる。
【０００３】
ところで、この平角線を絶縁ボビンに巻回する際に巻乱れが生じると、占積率が低下してしまうので、巻乱れが生じないように巻回する必要がある。
平角線の巻乱れを防止する従来の技術としては、例えば特許文献１などが知られている。特許文献１に開示された技術では、平角線を特殊な成形装置で成形しながら絶縁ボビン等に整列させて巻回することによって、巻乱れが生じないようにしている。
【０００４】
また、特許文献２には、ステータにおける平角線の占積率拡大を図るべく、ステータの絶縁ボビンに、ステータのティース部と平角線を絶縁するティース絶縁部と、ティース絶縁部の端部からヨークの内面に沿って延出する延出部を備え、延出部のステータ軸方向における一方に、平角線を延出部の外方からティース絶縁部の周方向に対して斜めに案内するガイド溝を設けた技術が提案されている。
【０００５】
また、特許文献３には、平角線の巻乱れの防止を図るべく、ティースと平角線を絶縁するティース絶縁部と、これの各端部からヨークの内面と略平行に延出する第１の延出部と第２の延出部を備える絶縁ボビンを備え、第１の延出部のステータ軸方向における一方にガイド溝を設け、第１の延出部とティース絶縁部の連結部分の隅部に平角線をティース絶縁部の周方向に対して斜めに保持する第１の突出部を設ける技術が提案されている。
【特許文献１】特開２０００−２４５０９２号公報
【特許文献２】特開２００４−３５０４４９号公報
【特許文献３】特開２００５−５７９３１号公報
【発明の開示】
【発明が解決しようとする課題】
【０００６】
しかしながら、従来の技術では、以下のような問題がある。
すなわち、上述した特許文献１に記載の技術と同様の従来の技術では、平角線を巻回する前処理として平角線に対して特殊な成形を施さなければならず、これには膨大な工数がかかり、製造コストの上昇を招くという問題がある。さらに、平角線に対して特殊な成形を施すための成形装置が必要なため、巻線機の構造が複雑になり、設備費が増大するという問題がある。
【０００７】
また、上述した特許文献２や特許文献３に記載の技術と同様の従来の技術では、ティース絶縁部に平角線を巻回している。平角線はティース絶縁部の内周側から外周側、または外周側から内周側に渡るように巻回される。そのため、ティース絶縁部の側面には、平角線が列替えなく並列に掛けられる並列面の他に、平角線が列を替えるよう斜め掛けされる列替え面が形成される。従来の技術では、ティース絶縁部の側面に沿って内周側から外周側にかけて順次巻回させているので、各層の巻終わり部と巻始め部がティース絶縁部の同一側面に形成されてしまう。その結果、層毎に形成される列替え面がティース絶縁部の同一面に集中して形成され、列替えを行う際に生じる変形が累積するため、巻き太りや巻乱れが発生しやすくなり、この点で占積率拡大に支障をきたしている。
【０００８】
そこで、本発明は、平角線の占積率拡大を図るステータを提供することを目的とする。
【課題を解決するための手段】
【０００９】
本発明は、円環状のヨーク（例えば、実施の形態におけるヨーク１ａ）から延出するティース（例えば、実施の形態におけるティース部１２）に装着される絶縁ボビン（例えば、実施の形態における絶縁ボビン２０）には、前記ティースと前記平角線を絶縁するティース絶縁部（例えば、実施の形態におけるティース絶縁部２１）と、該ティース絶縁部の内周側端部および外周側端部から前記ヨークの内面に沿ってそれぞれ延出する内周側延出部（例えば、実施の形態における内周側延出部２２）および外周側延出部（例えば、実施の形態における外周側延出部２３）とを備え、該内周側延出部のステータ軸方向における一方に、平角線を内周側延出部の外方からティース絶縁部の周方向に対して斜めに案内するガイド溝（例えば、実施の形態におけるガイド溝２４）が設けられ、前記ティース絶縁部に平角線を集中的に整列して巻回するステータにおいて、前記ティース絶縁部は角形筒状をなし、前記ティース絶縁部に前記平角線が複数層に渡って巻回され、前記内周側延出部と前記ティース絶縁部との連結部分の隅部に設けられ、前記平角線の第１層第１周目の最終部分を前記周方向に対して平行に保持する内周側突出部（例えば、実施の形態における内周側突出部３１）と、前記外周側延出部と前記ティース絶縁部との連結部分の隅部に設けられ、前記第１層の最終列終端が配置される側面（例えば、実施の形態における側面２１ｃ）の前記周方向の全体と、前記平角線の第２層の第１列始端が配置される側面（例えば、実施の形態における側面２１ｄ）の前記周方向の一部と、に跨るように形成された外周側突出部（例えば、実施の形態における外周側突出部３２）と、を備えており、前記第１層第１周目の前記平角線の高さ以上となるように、前記内周側突出部の高さが設定され、前記第１層の最終列に巻回された前記平角線を、前記外周側突出部に沿って巻回させ、各層には、平角線が列を替えるよう斜め掛けされる列替え面と、平角線が列替えなく並列に掛けられる並列面とが形成され、各層の列替え面の上層または下層には、前記並列面が形成され、前記各層の列替え面は、前記ティース絶縁部における長手方向両側面に、交互に形成されていることを特徴とする。
【００１０】
この発明によれば、各層において形成される列替え面の上層または下層に並列面が形成されるので、列替え面で変形が生じた場合であっても、各層の列替え面での変形の累積を抑制することができる。すなわち、列替え面の上層に並列面が形成された場合には、列替え面における外方への膨張を抑えるように並列面を形成することができる。また、列替え面の下層に並列面が形成された場合には、列替え面が形成される並列面の表面を平坦化できるため、列替え面の外方への膨張を抑制することができる。従って、前記ティース絶縁部に巻回される平角線の巻き太りや巻乱れを抑制することができ、占積率拡大を図ることができる。加えて、平角線を内周側延出部のガイド溝から導入することによって、平角線を絶縁ボビンの内周側延出部の外方から斜めに挿入することができるので、平角線を捻ったり無理に曲げたりすることなくティース絶縁部に導入することができ、また、平角線の第１層第１周目をティース絶縁部にスムーズに巻回することができる。
また、この発明によれば、前記内周側突出部により前記第１層第１周目の最終部分が保持されるので、第１層巻き始め部分の平角線と第２層最終周の平角線との間に一定スペースを確保し相互の干渉を抑制または防止することができ、平角線の破損を防止できる。また、第１層の列替え面を前記ティース絶縁部における長手方向側面に形成しているので、短手方向側面（例えば、実施の形態における短手方向側面２１ａ、２１ｃ）に列替え面を形成した場合よりも平角線の傾斜角度を小さくできる。ゆえに、列替えにより生じる平角線の外方への変形を抑制することができ、列替えにより平角線に加わるストレスを低減することができる。このように、巻き太りの主要因となる第１層の列替え面における平角線の変形を抑制することができるので、占積率のさらなる拡大を図ることができる。
また、この発明によれば、第１層の最終列に巻回された平角線を、前記外周側突出部に沿って巻回させることで、第１層の最終列終端から第２層の第１列始端に移行する際の高さ方向の変位を抑制できるので、平角線の高さ方向への膨らみを抑制でき、巻き太りを防止することができる。また、平角線は、第１層の最終列終端から第２層の第１列始端に跨る部位で外周側突出部に保持されるので、かかる部位の平角線が前記ティース絶縁部側に落ち込んで巻乱れが生じることを抑制できる。
また、この発明によれば、列替えにより生じる平角線の外方への変形が抑制されて列替えにより平角線に加わるストレスを低減することができる長手方向両側面に、前記列替え面を交互に形成することにより、各層における平角線の変形を抑制することができ、占積率のさらなる拡大を図ることができる。
【００１１】
また、本発明は、円環状のヨーク（例えば、実施の形態におけるヨーク１ａ）から延出するティース（例えば、実施の形態におけるティース部１２）に装着される絶縁ボビン（例えば、実施の形態における絶縁ボビン２０）には、前記ティースと前記平角線を絶縁するティース絶縁部（例えば、実施の形態におけるティース絶縁部２１）と、該ティース絶縁部の内周側端部および外周側端部から前記ヨークの内面に沿ってそれぞれ延出する内周側延出部（例えば、実施の形態における内周側延出部２２）および外周側延出部（例えば、実施の形態における外周側延出部２３）とを備え、該内周側延出部のステータ軸方向における一方に、平角線を内周側延出部の外方からティース絶縁部の周方向に対して斜めに案内するガイド溝（例えば、実施の形態におけるガイド溝２４）が設けられ、前記ティース絶縁部に平角線を集中的に整列して巻回するステータにおいて、前記ティース絶縁部は角形筒状をなし、前記ティース絶縁部に前記平角線が複数層に渡って巻回され、前記内周側延出部と前記ティース絶縁部との連結部分の隅部に設けられ、前記平角線の第１層第１周目の最終部分を前記周方向に対して平行に保持する内周側突出部（例えば、実施の形態における内周側突出部３１）と、前記外周側延出部と前記ティース絶縁部との連結部分の隅部に設けられ、前記第１層の最終列終端が配置される側面（例えば、実施の形態における側面２１ｃ）の前記周方向の全体と、前記平角線の第２層の第１列始端が配置される側面（例えば、実施の形態における側面２１ｄ）の前記周方向の一部と、に跨るように形成された外周側突出部（例えば、実施の形態における外周側突出部３２）と、を備えており、前記第１層第１周目の前記平角線の高さ以上となるように、前記内周側突出部の高さが設定され、前記第１層の最終列に巻回された前記平角線を、前記外周側突出部に沿って巻回させ、各層には、平角線が列を替えるよう斜め掛けされる列替え面と、平角線が列替えなく並列に掛けられる並列面とが形成され、各層の列替え面の上層または下層には、前記並列面が形成され、前記各層の列替え面は、前記ティース絶縁部における各側面に渡って順次形成されていることを特徴とする。
【００１２】
この発明によれば、各層において形成される列替え面の上層または下層に並列面が形成されるので、列替え面で変形が生じた場合であっても、各層の列替え面での変形の累積を抑制することができる。すなわち、列替え面の上層に並列面が形成された場合には、列替え面における外方への膨張を抑えるように並列面を形成することができる。また、列替え面の下層に並列面が形成された場合には、列替え面が形成される並列面の表面を平坦化できるため、列替え面の外方への膨張を抑制することができる。従って、前記ティース絶縁部に巻回される平角線の巻き太りや巻乱れを抑制することができ、占積率拡大を図ることができる。加えて、平角線を内周側延出部のガイド溝から導入することによって、平角線を絶縁ボビンの内周側延出部の外方から斜めに挿入することができるので、平角線を捻ったり無理に曲げたりすることなくティース絶縁部に導入することができ、また、平角線の第１層第１周目をティース絶縁部にスムーズに巻回することができる。
また、この発明によれば、前記内周側突出部により前記第１層第１周目の最終部分が保持されるので、第１層巻き始め部分の平角線と第２層最終周の平角線との間に一定スペースを確保し相互の干渉を抑制または防止することができ、平角線の破損を防止できる。また、第１層の列替え面を前記ティース絶縁部における長手方向側面に形成しているので、短手方向側面（例えば、実施の形態における短手方向側面２１ａ、２１ｃ）に列替え面を形成した場合よりも平角線の傾斜角度を小さくできる。ゆえに、列替えにより生じる平角線の外方への変形を抑制することができ、列替えにより平角線に加わるストレスを低減することができる。このように、巻き太りの主要因となる第１層の列替え面における平角線の変形を抑制することができるので、占積率のさらなる拡大を図ることができる。
また、この発明によれば、第１層の最終列に巻回された平角線を、前記外周側突出部に沿って巻回させることで、第１層の最終列終端から第２層の第１列始端に移行する際の高さ方向の変位を抑制できるので、平角線の高さ方向への膨らみを抑制でき、巻き太りを防止することができる。また、平角線は、第１層の最終列終端から第２層の第１列始端に跨る部位で外周側突出部に保持されるので、かかる部位の平角線が前記ティース絶縁部側に落ち込んで巻乱れが生じることを抑制できる。
また、この発明によれば、列替え面により生じる平角線の変形を各側面に分散できるので、列替えを行う際に生じる変形が累積せず、占積率のさらなる拡大を図ることができる。
【００１３】
また、前記第１層の前記列替え面の上層および前記第２層の前記列替え面の下層には、前記並列面が形成されていることが望ましい。
【発明の効果】
【００１８】
本発明によれば、ティース絶縁部に巻回される平角線の巻き太りや巻乱れを抑制することができ、占積率拡大を図ることができる。また、平角線の第１層第１周目をティース絶縁部にスムーズに巻回することができる。また、巻き太りの主要因となる第１層の列替え面における平角線の変形を抑制することができるので、占積率のさらなる拡大を図ることができる。また、平角線の高さ方向への膨らみを抑制でき、巻き太りを防止することができる。第１層の最終列終端から第２層の第１列始端に跨る部位の平角線がティース絶縁部側に落ち込んで巻乱れが生じることを抑制できる。
【発明を実施するための最良の形態】
【００２１】
以下、この発明に係るステータおよび絶縁ボビンの一実施例を図１から図１２の図面を参照して説明する。
図１に示すように、ステータ１は、複数のステータモジュール２を円環状に連結して構成されており、電動機や発電機等の回転電機に用いられる。
各ステータモジュール２は、ヨーク部１１とティース部（ティース）１２からなるステータコア１０と、ステータコア１０のティース部１２に装着された絶縁ボビン２０と、絶縁ボビン２０に巻回された平角線５０を備えている。
【００２２】
各ステータコア１０のヨーク部１１同士は連結されてステータ１における円環状のヨーク１ａを形成する。このヨーク部１１同士の連結を容易にするために、ヨーク部１１の周方向一端面には係合凸部１１ａが設けられ、他端面には係合凸部１１ａに嵌合する係合凹部１１ｂが設けられている。
ティース部１２は断面略矩形をなし、ヨーク部１１の中央から径方向の中心方向に向かって延出しており、ティース部１２の先端にはヨーク部１１の周方向に延出する延出部１３が設けられている。
【００２３】
図２〜図６に示すように、絶縁ボビン２０は、矩形筒状をなすティース絶縁部２１と、ティース絶縁部２１の軸方向両端部からヨーク部１１の内面に対して略平行に延出する内周側延出部２２および外周側延出部２３を備えている。ティース絶縁部２１はティース部１２の側面を取り囲むように配置され、内周側延出部２２はステータコア１０の延出部１３の内面に沿って配置され、外周側延出部２３はヨーク部１１の内周面に沿って配置される。
【００２４】
ティース絶縁部２１は、４つの側面２１ａ〜２１ｄを備えている。詳述すると、４つの側面は、ステータ１の軸方向の一方側の側面２１ａおよび他方側の側面２１ｃと、ステータ１の周方向の一方側の側面２１ｂおよび他方側の側面２１ｄからなる。これらの側面２１ａ〜２１ｄのうち、側面２１ｂおよび側面２１ｄは矩形筒状をなすティース絶縁部２１の長手方向に形成された長手方向側面、側面２１ａおよび側面２１ｃは矩形筒状をなすティース絶縁部２１の短手方向に形成された短手方向側面となっている。
【００２５】
内周側延出部２２においてティース絶縁部２１の側面２１ａに対応する側（すなわち、ステータ１の軸方向の一方側）には、平角線導入用のガイド溝２４が設けられている。平角線５０は内周側延出部２２の外方からガイド溝２４を通ってティース絶縁部２１に導入され、ティース絶縁部２１の側面２１ａ〜２１ｄに巻回される。
また、ティース絶縁部２１には、前記内周側延出部２２との連結部分の隅部（換言すれば、ティース絶縁部２１の内周側端部）に、内周側突出部３１が設けられている。この内周側突出部３１は、内周側延出部に形成されたガイド溝２４と同一方向の側面２１ａにおいて、平角線の導入方向（図４の右隅）と反対側の部位（図４の左隅）に形成されている。この内周側突出部３１によって、前記平角線５０の第１層第１周目の最終部分をティース絶縁部２１の周方向に対して平行に保持する。これについては、図１５〜図１７を用いて後述する。
【００２６】
また、前記ティース絶縁部２１には、前記外周側延出部２３との連結部分の隅部（換言すれば、ティース絶縁部２１の外周側端部）には、外周側突出部３２が設けられている。この外周側突出部３２は、側面２１ｃから側面２１ｄに渡り、平面視Ｌ字状に形成されている。これについては、図１３、図１４を用いて詳細を後述する。
【００２７】
以下に、平角線５０の巻回処理について説明する。
まず、１層目の巻回処理について説明する。図７、図８、図９は、前記絶縁ボビンに平角線が１層だけ巻回された状態を示す、図３、図４、図５に相当する側面図である。まず、平角線５０は、ガイド溝２４から導入され、側面２１ａの内周側第１列目に巻き始められる（図８参照）。ついで、側面２１ｂの内周側第１列目に巻き付けられ（図９参照）、そのまま側面２１ｃの内周側第１列目へと巻き付けられる。そして、側面２１ｄに巻き付けるときに内周側第１列目から内周側第２列目へと列替えを行う（図７参照）。それから、側面２１ａに戻って内周側第２列目に巻き付けられる。これらの処理を内周側から外周側に渡って順次繰り返し、第１層の巻回処理が行われる。従って、第１層においては、平角線５０が列替えなく並列に掛けられる並列面２９−１が側面２１ａ、２１ｂ、２１ｃに、平角線５０が列を替えるよう斜め掛けされる列替え面２８−１が側面２１ｄに形成されている。なお、第１層の終端となる側面２１ｃの外周端部には、外周側突出部３２が形成されている。
【００２８】
次に、２層目の巻回処理について説明する。図１０、図１１、図１２は、前記絶縁ボビンに平角線が２層巻回された状態を示す、図３、図４、図５に相当する側面図である。まず、平角線５０は、側面２１ｄにおける外周側突出部３２の形成された部位から第２層目に突入し、側面２１ｄの外周側第１列目に巻き始められる（図１０参照）。ついで、側面２１ａの外周側第１列目に巻き付けられ（図１１参照）、そして、側面２１ｂに巻き付けるときに外周側第１列目から外周側第２列目へと列替えを行う（図１２参照）。それから、側面２１ｃに向かうが、側面２１ｃの外周側第１列目には、外周側突出部３２が形成されているので、側面２１ｃの外周側第２列目に巻き付けられて、側面２１ｄに戻って外周側第２列目に巻き付けられる。これらの処理を外周側から内周側に渡って順次繰り返し、第２層の巻回処理が行われる。従って、第２層においては、平角線５０が列替えなく並列に掛けられる並列面２９−２が側面２１ａ、２１ｃ、２１ｄに、平角線５０が列を替えるよう斜め掛けされる列替え面２８−２が側面２１ｂに形成されている。そして、側面２１ｂ、２１ｄに列替え面２８（２８−１、２８−２、…）が交互に形成されるように、各層の巻回処理を行っていく。
【００２９】
このように平角線５０の巻回処理を行うことにより、各層の列替え面２８の上層または下層には、並列面２９（２９−１、２９−２、…）が形成されている。ゆえに、列替え面２８で変形が生じた場合であっても、各層の列替え面２８での変形の累積を抑制することができる。すなわち、列替え面２８（例えば列替え面２８−１）の上層に並列面２９（例えば並列面２９−２）が形成された場合には、列替え面２８における外方への膨張を抑えるように並列面２９を形成することができる。また、列替え面２８（例えば列替え面２８−２）の下層に並列面２９（例えば並列面２９−１）が形成された場合には、列替え面２８が形成される並列面２９の表面を平坦化できるため、列替え面２８の外方への膨張を抑制することができる。
【００３０】
また、第１層の列替え面２８を前記ティース絶縁部２１における長手方向側面２１ｂ、２１ｄに形成しているので、短手方向側面２１ａ、２１ｃに列替え面２８を形成した場合よりも平角線５０の傾斜角度を小さくできる。ゆえに、列替えにより生じる平角線５０の外方への変形を抑制することができ、列替えにより平角線５０に加わるストレスを低減することができる。このように、巻き太りの主要因となる第１層の列替え面における平角線５０の変形を抑制することができるので、占積率のさらなる拡大を図ることができる。
【００３１】
また、第１層の最終列終端から第２層の第１列始端に跨るように、外周側突出部３２が形成されているので、巻き太りや巻乱れを抑制できる。これについて、図１３、図１４を用いて説明する。
まず、図１３に示すように、外周側突出部を形成せずに、第１層の最終列終端から第２層の第１列始端に平角線５０を巻回させると、高さ方向の変位が急激に発生してしまい、また第２層目の第１列始端に移行した平角線が第１層目の高さに落ち込むことを防止するためにテンションをかける必要がある。
【００３２】
これに対し、図１４に示すように、第１層の最終列に巻回された平角線５０を、外周側突出部３２に沿って巻回させることで、第１層の最終列終端から第２層の第１列始端に移行する際の高さ方向の変位を抑制できる。これにより、平角線５０の高さ方向への膨らみを抑制でき、巻き太りを防止することができる。また、平角線５０は、第１層の最終列終端から第２層の第１列始端に跨る部位で外周側突出部３２に保持されるので、かかる部位の平角線５０が前記ティース絶縁部２１側に落ち込んで巻乱れが生じることを抑制できる。
【００３３】
そして、本実施の形態では、内周側突出部３１を形成したことにより、第１層第１周目の最初部分（巻始め部分）との干渉を抑制または防止することができる。これについて、図１６、図１７を用いて説明する。図１６、図１７は、平角線の巻回処理がなされた絶縁ボビンを示す図１５のＡＡ断面図である。
これらの図に示すように、内周側突出部３１により前記第１層第１周目の最終部分（図１１に示す）が保持されるので、第２層最終周の平角線５０と第１層巻き始め部分の平角線との間に一定スペースを確保することができ干渉を抑制することができる。特に、図１６に示すように、第２層最終周に移行した平角線５０と第１層巻き始め部分の平角線５０との間に確保される一定スペースが、傾斜状態で保持される第１層第１周目の平角線５０の高さ以上となるように、内周側突出部３１の高さを設定することで、平角線５０の第２層最終周がガイド溝２４と重なる位置に移行した部分と第１層巻き始め部分との干渉を防止することができ、これらの部位同士で平角線５０が損傷し合うことを防止することができる。
【００３４】
以上説明したように、本発明によれば、ティース絶縁部２１に巻回される平角線５０の巻き太りや巻乱れを抑制することができ、占積率拡大を図ることができる。
なお、本発明の内容は実施の形態のみに限定されるものでないことはもちろんである。例えば、上述の実施の形態では、列替え面２８を長手方向側面２１ｂ、２１ｄに交互に形成しているが、これに限らず、短手方向側面２１ａ、２１ｃに形成してもよい。この場合において、前記ティース絶縁部２１における各側面２１ａ〜２１ｄに渡って各層の列替え面２８を順次形成すると、列替え面２８により生じる平角線５０の変形を各側面２１ａ〜２１ｄに分散できるので、列替えを行う際に生じる変形が累積せず、占積率のさらなる拡大を図ることができる点で好ましい。また、前記ティース絶縁部２１は、矩形筒状としたが、例えば多角形状であってもよい。また、平角線５０を内周側延出部２２のガイド溝２４から導入すると、平角線５０を絶縁ボビン２０の内周側延出部２２の外方から斜めに挿入することができるため、平角線５０のティース絶縁部２１への導入を容易にすることができ、また、平角線５０の第１層第１周目をティース絶縁部２１にスムーズに巻回することができる点で好ましいが、ガイド溝２４を有さなくても本発明は成立する。
【図面の簡単な説明】
【００３５】
【図１】本発明の実施の形態におけるステータの一実施例における全体断面図である。
【図２】前記実施例のステータに用いられる絶縁ボビンの正面図である。
【図３】前記絶縁ボビンの長手方向側面図である。
【図４】前記絶縁ボビンの短手方向側面図である。
【図５】前記絶縁ボビンの図３に示す側面に対向する長手方向側面図である。
【図６】前記絶縁ボビンの図４に示す側面に対向する短手方向側面図である。
【図７】前記絶縁ボビンに平角線が１層だけ巻回された状態を示す、図３に相当する長手方向側面図である。
【図８】前記絶縁ボビンに平角線が１層だけ巻回された状態を示す、図４に相当する短手方向側面図である。
【図９】前記絶縁ボビンに平角線が１層だけ巻回された状態を示す、図５に相当する長手方向側面図である。
【図１０】前記絶縁ボビンに平角線が２層巻回された状態を示す、図３に相当する長手方向側面図である。
【図１１】前記絶縁ボビンに平角線が２層巻回された状態を示す、図４に相当する短手方向側面図である。
【図１２】前記絶縁ボビンに平角線が２層巻回された状態を示す、図５に相当する長手方向側面図である。
【図１３】外周側突出部を形成しない絶縁ボビンに平角線を巻回した状態を示す、概略斜視図である。
【図１４】外周側突出部を形成した絶縁ボビンに平角線を巻回した状態を示す、概略斜視図である。
【図１５】前記絶縁ボビンに平角線を巻回した状態を示す、図４に相当する側面図である。
【図１６】図１５のＡＡ断面図である。
【図１７】図１６の内周側突出部の高さを高くした場合における図１５のＡＡ断面図である。
【符号の説明】
【００３６】
１…ステータ
１ａ…ヨーク
１２…ティース部（ティース）
２０…絶縁ボビン
２１…ティース絶縁部
２２…内周側延出部
２３…外周側延出部
２４…ガイド溝
２８…列替え面
２９…並列面
３１…内周側突出部
３２…外周側突出部
５０…平角線 
【図１】
0004722584.tif 000002
【図２】
0004722584.tif 000003
【図３】
0004722584.tif 000004
【図４】
0004722584.tif 000005
【図５】
0004722584.tif 000006
【図６】
0004722584.tif 000007
【図７】
0004722584.tif 000008
【図８】
0004722584.tif 000009
【図９】
0004722584.tif 000010
【図１０】
0004722584.tif 000011
【図１１】
0004722584.tif 000012
【図１２】
0004722584.tif 000013
【図１３】
0004722584.tif 000014
【図１４】
0004722584.tif 000015
【図１５】
0004722584.tif 000016
【図１６】
0004722584.tif 000017
【図１７】
0004722584.tif 000018